(57)【要約】【課題】防漏壁の接合部が、肌当接面上に露出していないので着用時に違和感を生じ難く、着用者へのフィット性を高め、ヨレ防止、漏れ防止性を高めることができる吸収性物品を提供すること。【解決手段】本発明の生理用ナプキン１Ａは、表面シート２、裏面シート３及び吸収体４を具備する吸収性本体５と、その長手方向両側部５ａに伸縮性シート６を接合部８で接合することにより形成された中空のループ状の防漏壁７とを備えている。防漏壁７は、排泄部領域ａにおいて、中空のループ状をなして起立している。排泄部領域ａにおける防漏壁７の接合部８は、表面シート２の長手方向の側部５ａにおける肌当接面に、伸縮性シート６の一側部６ａが接合されて形成されている。生理用ナプキン１Ａは、接合部８が、防漏壁７のループの内側表面（非肌当接面側のシート６２）を表面シート２に向けて接合され、中空の防漏壁７が形成されてなる。【選択図】図２
2010042058.tif 000002
【特許請求の範囲】
【請求項１】
肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、
前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、
前記排泄部領域におけるループ状の前記防漏壁それぞれの前記接合部は、前記吸収性本体の前記表面シートの長手方向の側部における肌当接面に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの内側表面を前記表面シートに向けて接合することにより、中空のループ状の防漏壁が形成されてなる吸収性物品。
【請求項２】
前記防漏壁それぞれは、ループ状をなしている部分の前方及び後方の少なくとも一方において、前記接合部の上方に位置する前記伸縮性シートが三つ折り状に屈曲され、三つ折り状の２つの屈曲部間の中央部における、前記接合部の上方に位置する部分の該伸縮性シートが互いに接合されている請求項１に記載の吸収性物品。
【請求項３】
２つの前記屈曲部と前記中央部との間における前記伸縮性シートの断面形状は、それぞれ円形状の空洞部であるループを形成している請求項２に記載の吸収性物品。
【請求項４】
前記伸縮性シートは、２枚のシート間に弾性部材を接着固定されて配設されることにより伸縮性が付与されており、該弾性部材は、前記防漏壁の断面形状での前記屈曲部の先端に配設されている請求項２又は３に記載の吸収性物品。
【請求項５】
肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、
前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、該伸縮性シートの収縮により、少なくとも排泄部領域において、中空のループ状をなして起立しており、
前記排泄部領域におけるループ状の前記防漏壁それぞれの前記接合部は、前記吸収性本体の前記表面シートの長手方向の側部における非肌当接面に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの外側表面を前記表面シートに向けて接合することにより、中空のループ状の防漏壁が形成されてなる吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁が知られている。例えば、引用文献１には、フィット性が高く、着用者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
しかしながら、引用文献１に記載の生理用ナプキンは、ループ形状の防漏壁を形成する伸縮性シートと生理用ナプキン本体との接合部が、生理用ナプキンの肌当接面上に露出して存在しており、着用時に違和感を生じる場合がある。
【０００４】
また、引用文献２には、伸縮性シートと生理用ナプキン本体との接合部が、生理用ナプキンの肌当接面上に露出しておらず、ループ形状の防漏壁を備えた生理用ナプキンが開示されている。
【０００５】
しかしながら、引用文献２に記載のループ形状の防漏壁は、長手方向の頂部、及び伸縮性シートと生理用ナプキン本体との接合部を含む縦断面が略直線形状であるため、着用者へのフィット性が劣ってしまう。
【０００６】
【特許文献１】特開平１１−２９９８２１号公報
【特許文献２】特開２００１−２４５９２７号公報
【発明の開示】
【発明が解決しようとする課題】
【０００７】
従って、本発明の目的は、着用時に違和感を生じ難い中空のループ形状の防漏壁を備え、着用者へのフィット性を高め、ヨレ防止、漏れ防止性に優れた吸収性物品を提供することにある。
【課題を解決するための手段】
【０００８】
本発明は、肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、前記排泄部領域におけるループ状の前記防漏壁それぞれの前記接合部は、前記吸収性本体の前記表面シートの長手方向の側部における肌当接面に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの内側表面を前記表面シートに向けて接合することにより、中空のループ状の防漏壁が形成されてなる吸収性物品を提供することにより前記目的を達成したものである。
【０００９】
また、本発明は、肌当接面側に配置された表面シート、非肌当接面側に配置された裏面シート及び両シート間に介在する吸収体を具備する縦長の吸収性本体と、該吸収性本体の長手方向の両側部に形成された防漏壁とを備えた吸収性物品であって、
前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、該伸縮性シートの収縮により、少なくとも排泄部領域において、中空のループ状をなして起立しており、
前記排泄部領域におけるループ状の前記防漏壁それぞれの前記接合部は、前記吸収性本体の前記表面シートの長手方向の側部における非肌当接面に前記伸縮性シートの前記一側部が接合され、前記吸収性本体の長手方向の側部における非肌当接面側に前記伸縮性シートの前記他側部が接合され、前記伸縮性シートの前記一側部の前記接合部は、前記防漏壁のループの外側表面を前記表面シートに向けて接合することにより、中空のループ状の防漏壁が形成されてなる吸収性物品を提供することにより前記目的を達成したものである。
【発明の効果】
【００１０】
本発明の吸収性物品によれば、ループ形状の防漏壁の形成に伴う接合部が、吸収性物品の肌当接面上に露出していないので着用時に違和感を生じ難く、着用者へのフィット性を高め、ヨレ防止、漏れ防止性を高めることができる。
【発明を実施するための最良の形態】
【００１１】
以下、本発明の吸収性物品である生理用ナプキンの好ましい一実施形態について、図１〜図４に基づいて説明する。
【００１２】
第１実施形態の生理用ナプキン１Ａは、図１に示すように、生理用ナプキン１Ａの長手方向に延びる中心線ＣＬに対して左右対称に形成されている。
従って、以下には、主として生理用ナプキン１Ａの左側の構成について詳述し、右側の構成については、適宜説明を省略し、左側の構成要素に対応する右側の構成要素は、符号にダッシュ(’)を付してある。
【００１３】
第１実施形態の吸収性物品（生理用ナプキン）１Ａは、図１〜図３に示すように、肌当接面側に配置された表面シート２、非肌当接面側に配置された裏面シート３及び両シート２，３間に介在する吸収体４を具備する実質的に縦長の吸収性本体５と、吸収性本体５の長手方向の両側部５ａ，５ａ’それぞれに形成された防漏壁７，７’とを備えている。
防漏壁７，７’それぞれは、図１，図２に示すように、伸縮性シート６，６’の長手方向の一側部６ａ及び他側部６ｂを吸収性本体５に接合部８，８Ｄで接合するとともに、排泄部領域ａの前方及び後方において伸縮性シート６，６’を吸収性本体５に接合して形成され、排泄部領域ａにおいて、中空のループ状をなして起立している。
排泄部領域ａにおけるループ状の防漏壁７，７’それぞれの接合部８は、図２に示すように、吸収性本体５の表面シート２の長手方向（ＣＬ方向；ＣＬ線と平行な方向）の側部５ａにおける肌当接面に、伸縮性シート６，６’の一側部６ａが接合されて形成されている。ループ状の防漏壁７，７’それぞれの接合部８Ｄは、吸収性本体５の長手方向（ＣＬ方向）の側部５ａにおける非肌当接面側に、伸縮性シート６，６’の他側部６ｂが接合されて形成されている。
第１実施形態の生理用ナプキン１Ａは、図１，図２に示すように、伸縮性シート６，６’の一側部６ａの接合部８が、防漏壁７，７’のループの内側表面（非肌当接面側のシート６２）を表面シート２に向けて接合されることにより、中空のループ状の防漏壁７，７’が形成されてなる。
【００１４】
ここで、「排泄部領域ａ」とは、装着者の体液排泄部に当接される領域を意味し、生理用ナプキンが個装形態に折り畳まれた際に生じる製品長手方向（ＣＬ方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じか又は狭い領域を言う。本実施形態の生理用ナプキン１Ａにおける排泄部領域ａは、図１に示すように、いわゆる２つ折の個装形態の際に生じる第１折線ａ１と第２折線ａ２とに囲まれた領域より狭い領域である。
【００１５】
また、「起立」とは、中空のループ状の防漏壁７，７’の上面が表面シート２の表面よりも上方に位置する状態を意味し、「凸に起立」とは、防漏壁７，７’の最も上方に位置する部位が、表面シート２の表面よりも上方に位置する状態を意味する。
【００１６】
本実施形態の生理用ナプキン１Ａについて、詳述すると、本実施形態の生理用ナプキン１Ａは、図１に示すように、その長手方向（ＣＬ方向）に、装着者の体液排泄部に当接される排泄部領域ａの後方に後方領域ｂ、排泄部領域ａ、排泄部領域ａの前方に前方領域ｃを備えている。防漏壁７は、少なくとも排泄部領域ａにおいて、ループ状をなして起立している。このように、防漏壁７のループ状をなして起立している部分は、排泄部領域ａよりも、長手方向（ＣＬ方向）に広い領域であり、本実施形態の生理用ナプキン１Ａにおいては、いわゆる２つ折の個装形態の際に生じる第１折線ａ１と第２折線ａ２とに囲まれた領域と略同じ大きさの領域である。本実施形態の生理用ナプキン１Ａは、図１〜図４に示すように、表面シート２、裏面シート３及び吸収体４を具備し、表面シート２と吸収体４とを固定する一対のエンボス溝９を具備している。エンボス溝９は、生理用ナプキン１Ａの両側部に、長手方向に延びて延在している。表面シート２及び裏面シート３それぞれは、吸収体４よりも大きい外径寸法を有している。表面シート２及び裏面シート３は、生理用ナプキン１Ａの長手方向の両端部において、吸収体４の長手方向の両端部から延出し、その延出部は互いにヒートシール等により接合されて吸収性本体５を形成している。裏面シート３の表面には、粘着剤が塗布されてズレ止め部（不図示）が形成されている。これらの構成は、従来品と同じである。
【００１７】
次いで、本実施形態の生理用ナプキン１Ａのループ状の防漏壁７について説明する。
本実施形態の生理用ナプキン１Ａでは、図１〜図４に示すように、帯状の伸縮性シート６が、吸収性本体５の長手方向（ＣＬ方向）の側部５ａそれぞれに、長手方向に沿って、配設及び接合されており、伸縮性シート６の収縮により、肌当接面側に凸に起立した中空のループ状の防漏壁７が形成される。
【００１８】
上記伸縮性シート６は、本実施形態の生理用ナプキン１Ａにおいては、弾性部材６３により伸縮性が付与された複合シートである。伸縮性シート６は、図２〜図４に示すように、肌当接面側のシート６１と、非肌当接面側のシート６２と、それらのシート６１，６２間に、複数本の弾性部材６３を配置して形成されている。肌当接面側のシート６１と、非肌当接面側のシート６２とは、同形同大の帯状（長方形状）のシートであり、上記伸縮性シート６は、肌当接面側のシート６１と非肌当接面側のシート６２との間に、糸状の弾性部材６３を、シート６１，６２の長手方向（ＣＬ方向）に配置し、複数本の弾性部材６３それぞれを、帯状のシート６１，６２の幅方向（ＣＬ方向と直交方向）に均等に配置して形成されている。複数本の弾性部材６３それぞれは、吸収性本体５の長手方向（ＣＬ方向）の両端部に亘って配置されていてもよいが、図１に示すように、少なくとも装着者の体液排泄部に当接される排泄部領域ａよりも長く配置されていればよい。
【００１９】
上記伸縮性シート６は、図２〜図４に示すように、表面シート２及び吸収体４を挟持するように、伸縮性シート６の長手方向の一側部６ａの非肌当接面側のシート６２の表面が、吸収性本体５を構成する表面シート２の肌当接面側の表面に接合されて接合部８を形成している。また、伸縮性シート６の長手方向の他側部６ｂは、本実施形態においては、吸収性本体５の非肌当接面側、即ち、図２〜図４に示すように、吸収体４と裏面シート３との間に配され、他側部６ｂの非肌当接面側のシート６２の表面が、吸収体４の非肌当接面側の表面に接合されて接合部８Ｄを形成している。また、排泄部領域ａの前方の前方領域ｃ及び後方の後方領域ｂにおいて、伸縮性シート６は吸収性本体５に接合されている部分を有している。このように、帯状の伸縮性シート６を、吸収性本体５の長手方向（ＣＬ方向）の側部５ａに、長手方向に沿って、配設及び接合しているため、伸縮性シート６の収縮により、中空のループ状に起立した部分を有する防漏壁７が形成される。接合は、ヒートシールや接着剤等により行うことができる。第１実施形態においては、接合部８は接着剤により形成されており、伸縮性シート６の非肌当接面側のシート６２と吸収体４との接合、伸縮性シート６の肌当接面側のシート６１と裏面シート３との接合（接合部８Ｄ）、及び表面シート２と吸収体４との接合も、接着剤により行われている。また、本実施形態においては、図３の伸縮性シート６同士の肌当接面側における接合は、ヒートシールにより行われている。
【００２０】
上記防漏壁７は、図２に示すように、防漏壁７の形成領域ａにおける防漏壁７の頂部７１及び接合部８を含む縦断面形状は、ループを描きながら、接合部８においてループ内面を折り返すことでループ形状と反転させて、数字の‘２’の字状に、形成されている。即ち、接合部８は、防漏壁７のループの内側表面を表面シート２に向けて接合しており、生理用ナプキン１Ａを平面視して、防漏壁７の形成領域ａにおける接合部８が、防漏壁７に覆われる形状となっている。
ここで、‘２’の字状の形状とは、数字の‘２'の字状の屈曲部（肌当接面側の屈曲部７２と非肌当接面側の屈曲部７３）が何れも積極的に折られておらず、曲げられて形成されており、非肌当接面側の屈曲部７３より、肌当接面側の屈曲部７２の方が、大きく撓んでいる状態であることが好ましい。肌当接面側の屈曲部７２及び非肌当接面側の屈曲部７３の何れの先端部にも、弾性部材６３がそれぞれ配置されていることが好ましい。
【００２１】
上記防漏壁７は、ループ状をなしている部分の前方及び後方の少なくとも一方、本実施形態においては、図３に示すように、２つ折の個装形態の際に生じる第１折線ａ１の部分と第２折線ａ２の部分それぞれにおいて、肌当接面側のシート６１と表面シート２との接合部８の上方に位置する伸縮性シート６が三つ折り状に屈曲され、三つ折り状の２つの屈曲部（肌当接面側の屈曲部７４と非肌当接面側の屈曲部７５）間の中央部７６における、接合部８の上方に位置する部分の伸縮性シート６が互いに接合されて形成されている。すなわち、接合部８の上方に位置する中央部７６の部分における防漏壁７の外側表面同士及び内側表面同士がそれぞれ接合されている。第１実施形態の生理用ナプキン１Ａの防漏壁７においては、図３に示すように、接合部８の上方に位置する中央部７６の部分における防漏壁７を形成する伸縮性シート６の肌当接面側のシート６１同士の表面が接合されており、さらに、中央部７６の部分における伸縮性シート６の非肌当接面側のシート６２同士の表面が接合されている。
【００２２】
上記防漏壁７を形成する伸縮性シート６は、図３に示すように、２つ折の個装形態の際に生じる第１折線ａ１の部分と第２折線ａ２の部分それぞれにおいては、２つの屈曲部（肌当接面側の屈曲部７４と非肌当接面側の屈曲部７５）と中央部７６とのそれぞれの間において、断面形状が円形状の空洞部（内側空洞部７７ａ，外側空洞部７７ｂ）を形成している。このように、上記防漏壁７は、２つ折の個装形態の際に生じる第１折線ａ１の部分と第２折線ａ２の部分それぞれにおいて、三つ折り状に屈曲されて、内側空洞部７７ａと外側空洞部７７ｂとを備えており、内側空洞部７７ａは、図３に示すように、伸縮性シート６の非肌当接面側のシート６２の表面同士を接合せず、伸縮性シート６を積極的に折らずに、曲げることにより、断面形状が円形状に形成されている。同様に、外側空洞部７７ｂは、図３に示すように、伸縮性シート６の肌当接面側のシート６１の表面同士を接合せず、伸縮性シート６を曲げることにより、断面形状が円形状に形成されている。また、肌当接面側の屈曲部７４及び非肌当接面側の屈曲部７５の何れの先端部にも、弾性部材６３がそれぞれ配設されている。
【００２３】
本実施形態の生理用ナプキン１Ａの長さは、好ましくは、２４０ｍｍ〜４４０ｍｍであり、２つ折の個装形態の際に生じる第１折線ａ１と第２折線ａ２との長手方向（ＣＬ方向）の長さは、生理用ナプキン１Ａの長さに対して、５〜６０％の範囲の長さである。
図３に示す、本実施形態の生理用ナプキン１Ａの防漏壁７の円形状の内側空洞部７７ａの幅方向（ＣＬ方向と直交方向）の長さは、好ましくは、３ｍｍ〜１５ｍｍであり、防漏壁７の円形状の外側空洞部７７ｂの幅方向（ＣＬ方向と直交方向）の長さは、２ｍｍ〜１３ｍｍであり、内側空洞部７７ａの幅方向（ＣＬ方向と直交方向）の長さの方が、外側空洞部７７ｂの幅方向（ＣＬ方向と直交方向）の長さより長い。
【００２４】
上記防漏壁７を形成する複合シートは、図１，図４に示すように、防漏壁７のループ状をなしている部分の前方及び後方、本実施形態においては、２つ折の個装形態の際に生じる第１折線ａ１の部分の前方と第２折線ａ２の部分の後方においては、弾性部材６３が配置されておらず、伸縮性シート６を形成していない。複合シートを形成する肌当接面側のシート６１及び非肌当接面側のシート６２は、弾性部材６３が配置されていない領域において、図１，図４に示すように、肌当接面側に凸に起立したの中空のループ状の防漏壁７を形成しないように、積極的に折り曲げられている。防漏壁７を形成する複合シートは、生理用ナプキン１Ａの長手方向の両端部においては、表面シート２及び裏面シート３と同様に、吸収体４の長手方向の両端部から延出した延出部をヒートシール等により互いに接合固定している。
【００２５】
本実施形態の生理用ナプキン１Ａの形成材料について説明する。
上記表面シート２、上記裏面シート３及び上記吸収体４としては、通常、生理用ナプキン等の吸収性物品に用いられるものであれば、特に制限なく用いることができる。
【００２６】
上記防漏壁７を形成する上記伸縮性シート６としては、伸縮性を有し、２つ折の個装形態の際に生じる第１折線ａ１の部分と第２折線ａ２の部分において、三つ折り状に屈曲した時、２つの屈曲部それぞれに、断面形状が円形状の空洞部を形成すると共に、少なくとも排泄部領域ａにおいて、防漏壁７が肌当接面側に凸に起立したループ形状を保ちながら違和感なく自在に変形する剛性を持つことが好ましい。
【００２７】
上記伸縮性シート６の伸縮物性は、生理用ナプキン１Ａの長手方向（ＣＬ方向）において、５〜５０％伸張した時の応力が５０〜５００ｇｆ／２５ｍｍが好ましく、１００〜３００ｇｆ／幅２５ｍｍがより好ましい。
次に、上記伸縮性シート６の剛性は、バルクソフトネス値で５〜２００ｇｆが好ましく、１０〜１００ｇｆがより好ましい。バルクソフトネス値が５ｇｆ未満であると、柔らかすぎループ形状を安定に保てず、２００ｇｆを超えると、装着時に自在に変形しなかったり、違和感となるので好ましくない。
尚、バルクソフトネスは、下記の如く測定できる。即ち、弾性シートを長手方向に１５０ｍｍ、幅方向に３０ｍｍの大きさの帯状体として切り出し、この帯状体の長手方向両端を５ｍｍ重ね合わせ、円筒状になる様にし、この重ね合わせた部分を側縁（円筒の上下縁）からほぼ１０ｍｍの位置にステープルで２ヶ所固定する。次いで、テンシロン圧縮試験機にて、圧縮速度１０ｍｍ／分の速度で圧縮し、円筒が座屈するまでの最大圧縮強度を測定する。測定回数５回の平均値をとって、バルクソフトネス値とする。
【００２８】
上記伸縮性シート６のシート材料としては、伸縮性のフィルム、伸縮性の不織布、伸縮性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、上述したように、これら伸縮性の材料を糸状にした弾性部材６３を肌当接面側のシート６１と非肌当接面側のシート６２との間に配置した複合シートが挙げられる。
【００２９】
上記伸縮性シート６の肌当接面側のシート６１としては、肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ弾性部材６３を所定の伸張率まで伸張し、それを肌当接面側のシート６１及び非肌当接面側のシート６２に、ホットメルトやヒートシール等によって接着することによって、複合シートを作成しても良い。上記伸縮性シート６の複数本の弾性部材６３それぞれは、肌当接面側のシート６１と非肌当接面側のシート６２との間に、等間隔で配置している。
【００３０】
また、前記伸縮性シート６には色が付与されていても良く、色は該伸縮性シート６の肌当接面側のシート、非肌当接面側のシート、弾性部材のいずれにまたは全てに付与されていても良い。
【００３１】
次に上述した本発明の第１実施形態の生理用ナプキン１Ａを使用した際の作用効果について説明する。
第１実施形態の生理用ナプキン１Ａは、図１〜図４に示すように、一対の中空のループ状の防漏壁７，７’を備えており、ループ状の防漏壁７，７’それぞれは、図２〜図４に示すように、吸収性本体５の長手方向（ＣＬ方向）の側部５ａにおける表面シート２の肌当接面側に、伸縮性シート６の長手方向（ＣＬ方向）の一側部６ａにおける内側表面（非肌当接面側のシート６２）を接合することにより形成されている。その結果、防漏壁７の形成領域ａにおける防漏壁７の頂部７１及び接合部８を含む縦断面は、数字の‘２’の字状形状に形成されており、そのため、防漏壁７，７’の形成に伴う接合部８が、排泄部領域ａにおいて、平面視して、肌当接面側の表面シート２上に露出していないので、着用時に違和感を生じ難いものである。
【００３２】
また、第１実施形態の生理用ナプキン１Ａは、２つ折の個装形態の際に生じる第１折線ａ１の部分と第２折線ａ２の部分それぞれにおいて、防漏壁７の内側空洞部７７ａと外側空洞部７７ｂそれぞれは、折られておらず、曲げられているため、伸縮性シート６が収縮すると、少なくとも排泄部領域ａに位置する一対の中空の防漏壁７，７’は、伸縮性シート６の剛性により撓み易く、図２に示すように、断面略円状のループ形状に起立する。この際、伸縮性シート６は、図３に示すように、２つ折の個装形態の際に生じる第１折線ａ１の部分と第２折線ａ２の部分それぞれにおいて、三つ折り状の肌当接面側の屈曲部７４を形成しており、屈曲部７４は積極的に折られていないため、伸縮性シート６が収縮すると、図２に示すように、少なくとも排泄部領域ａにおいて、撓んだ‘２’の字状の肌当接面側の屈曲部７２を形成し易い。同様に、伸縮性シート６は、図３に示すように、２つ折の個装形態の際に生じる第１折線ａ１の部分と第２折線ａ２の部分それぞれにおいて、三つ折り状の非肌当接面側の屈曲部７５を形成しており、屈曲部７５は積極的に折られていないため、図２に示すように、少なくとも排泄部領域ａにおいて、撓んだ‘２’の字状の非肌当接面側の屈曲部７３を形成し易い。排泄部領域ａに位置する一対の中空の防漏壁７，７’が、ループ状に起立することにより、着用者へのフィット性が向上し、着用者の足の動き等の左右からの応力がかかった場合においても、中空のループ形状で緩衝し、生理用ナプキン１Ａにヨレを発生しない。その為、生理用ナプキン１Ａは、漏れ防止性の高いナプキンとなる。
【００３３】
なお、図２〜図４に示す本実施形態における表面シート２と吸収体４の接合は、表面シート２の長手方向の側部領域にのみ形成されているが、表面シート２液の通過性や物品１の吸収性を阻害しない程度であれば略全面に配することができ、‘２’の字状の形状を安定化させる観点から、その接合の幅方向内側端部は接合部の内側縁８ａより外方側であることが好ましく、接合部の外方縁８ｂよりも外方であることがより好ましい。
‘２’の字状の形状が安定化されていると、伸縮性シート６が着色されている場合、‘２’の字状の形状が認識されやすくより印象性を向上することができ、図３における内側空洞部７７ａが特に認識しやすくなる。
【００３４】
第１実施形態における防漏壁７には、図１，図３に示すように、２つ折の個装形態の際に生じる第１折線ａ１の部分と第２折線ａ２の部分それぞれに屈曲部７４，７５が形成されているが、屈曲部７４，７５は第２折線ａ２の部分にのみ形成されていてもよく、その場合、第１折線ａ１の部分は図４の形態となっており、境界で伸縮挙動及び形状が大きく変化するため、防漏壁の安定性は低下するが、吸収性物品の湾曲性を高めて前方の液止め性を高める用途、例えば男性用尿取りパッドに適した形態とすることができる。
【００３５】
また、第１実施形態の生理用ナプキン１Ａでは、図３に示すように、２つ折の個装形態の際に生じる第１折線ａ１の部分と第２折線ａ２の部分それぞれにおいて、内側空洞部７７ａの幅方向（ＣＬ方向と直交方向）の長さの方が、外側空洞部７７ｂの幅方向（ＣＬ方向と直交方向）の長さより長いため、伸縮性シート６が収縮すると、図２に示すように、少なくとも排泄部領域ａにおいて、‘２’の字状の非肌当接面側の屈曲部７３よりも広く撓んだ‘２’の字状の肌当接面側の屈曲部７２を形成し易く、着用者へのフィット性が向上する。
【００３６】
また、第１実施形態の生理用ナプキン１Ａでは、図２及び図３に示すように、‘２’の字状の肌当接面側の屈曲部７２及び非肌当接面側の屈曲部７３の何れの先端部にも、弾性部材６３がそれぞれ配置されており、三つ折り状の肌当接面側の屈曲部７４及び非肌当接面側の屈曲部７５の何れの先端部にも、弾性部材６３がそれぞれ配置されている。そのため、弾性部材６３が可撓軸になり、少なくとも排泄部領域ａにおいて、伸縮性シート６は、図２に示すように、‘２’の字状の非肌当接面側の屈曲部７３を幅方向（ＣＬ方向と直交方向）外側に凸とされ、‘２’の字状の肌当接面側の屈曲部７２を幅方向方向（ＣＬ方向と直交方向）内側に凸とされて、一対の中空の防漏壁７，７’を形成する。このような一対の中空の防漏壁７，７’は、少なくとも排泄部領域ａにおいて、断面略円状のループ形状に安定して起立する。
【００３７】
また、第１実施形態の生理用ナプキン１Ａの防漏壁７，７’それぞれは、図３及び図４に示すように、排泄部領域ａより長手方向に広い範囲において吸収体４と離間し、空間を形成していることから、吸収体４に吸収された液が防漏壁７，７’を介して滲み出さない。
【００３８】
さらには、吸収体４の裏面において伸縮性シート６との接合点よりも幅方向（ＣＬ方向と直交方向）外側において裏面シート３と伸縮性シート６とが接合されていても良い。
【００３９】
次に、本発明の第２実施形態の生理用ナプキンについて、図５に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００４０】
第２実施形態の生理用ナプキン１Ｂは、接合部８，８Ｄを備えており、図５に示すように、排泄部領域ａにおいてループ状に起立する防漏壁７の接合部８は、吸収性本体５の表面シート２の長手方向（ＣＬ方向）の側部５ａにおける非肌当接面に、伸縮性シート６の長手方向（ＣＬ方向）の一側部６ａが接合されることにより形成されている。排泄部領域ａにおいてループ状に起立する防漏壁７の接合部８Ｄは、吸収性本体５の長手方向の側部５ａにおける非肌当接面側に伸縮性シート６の他側部６ｂが接合されることにより形成されている。
第２実施形態の生理用ナプキン１Ｂは、図５に示すように、伸縮性シート６の一側部６ａの接合部８が、防漏壁７のループの外側表面（肌当接面側のシート６２）を表面シート２に向けて接合することにより、中空の防漏壁７が形成されてなる。
【００４１】
第２実施形態の生理用ナプキン１Ｂの伸縮性シート６は、図５に示すように、表面シート２及び吸収体４を挟持するように、伸縮性シート６の長手方向の一側部６ａの肌当接面側のシート６１の表面が、吸収性本体５を構成する表面シート２の非肌当接面側の表面に接合されて接合部８を形成している。また、伸縮性シート６の一側部６ａの非肌当接面側のシート６２の表面が、吸収体４の肌当接面側の表面に接合されている。また、伸縮性シート６の長手方向の他側部６ｂは、図５に示すように、吸収体４と裏面シート３との間に配され、他側部６ｂの非肌当接面側のシート６２の表面が、吸収体４の非肌当接面側の表面に接合されて接合部８Ｄを形成している。このように、帯状の伸縮性シート６を、吸収性本体５の長手方向（ＣＬ方向）の側部５ａに、長手方向に沿って、配設及び接合し、伸縮性シート６が収縮することにより、中空のループ状に起立する防漏壁７が形成される。
【００４２】
次に上述した本発明の第２実施形態の生理用ナプキン１Ｂを使用した際の作用効果について説明する。
第２実施形態の生理用ナプキン１Ｂは、図５に示すように、一対の中空のループ状の防漏壁７，７’を備えており、ループ状の防漏壁７，７’それぞれは、吸収性本体５の長手方向（ＣＬ方向）の側部５ａにおける表面シート２の非肌当接面側に、伸縮性シート６，６’の長手方向（ＣＬ方向）の一側部６ａにおける外側表面（肌当接面側のシート６１）を接合することにより形成されている。その結果、排泄部領域ａにおける防漏壁７，７’の頂部７１及び接合部８を含む縦断面は、‘２’の字状形状に形成されており、そのため、防漏壁７，７’の形成に伴う接合部８が、防漏壁７の形成領域ａにおいて、平面視して、肌当接面側の表面シート２上に露出していないので、着用時に違和感を生じ難いものである。
【００４３】
本発明の吸収性物品は、上述の上述の第１及び第２実施形態の生理用ナプキンに何ら制限されるものではなく、また、上述の第１及び第２実施形態の生理用ナプキンにおける各構成要件は、本発明の趣旨を損なわない範囲で、適宜変更可能である。
【００４４】
例えば、上述の第１及び第２実施形態の生理用ナプキン１Ａ，１Ｂにおいては、表面シート２と裏面シート３とが吸収体４の幅方向の両端から延出しておらず、伸縮性シート６の長手方向の他側部６ｂにおける非肌当接面側のシート６２の表面が、吸収体４の非肌当接面側の表面に接合されているが、表面シート２と裏面シート３とが吸収体４の幅方向の両端から延出し接合されており、他側部６ｂにおける非肌当接面側のシート６２の表面が、表面シート２の肌当接面側の表面に接合されていても良い。
【００４５】
また、上述の本実施形態の生理用ナプキン１Ａ，１Ｂにおいては、表面シート２と裏面シート３とが吸収体４の幅方向の両端から延出しておらず、伸縮性シート６の一側部６ａの肌当接面側のシート６１が、吸収体４の上方に位置する表面シート２に接合しているが、表面シート２と裏面シート３とが吸収体４の幅方向の両端から延出して接合し、伸縮性シート６の一側部６ａの肌当接面側のシート６１が、その延出した部分の表面シート２に接合されていても良い。
【００４６】
また、上述の本実施形態の生理用ナプキン１Ａ，１Ｂにおいては、裏面シート３の表面に粘着剤を設け、ズレを止めているが、裏面シート３側にウイングを設け、これにより装着固定を容易なものとしても良い。
【００４７】
本発明の吸収性物品は、生理用ナプキン以外にも、例えば、使い捨ておむつ、失禁者用パッド、パンティーライナー等に好適に用いることができる。
【図面の簡単な説明】
【００４８】
【図１】本発明の第１実施形態である生理用ナプキン１Ａの斜視図である。
【図２】図１に示す生理用ナプキンのＸ１−Ｘ１線断面図である。
【図３】図１に示す生理用ナプキンのＸ２−Ｘ２線断面図である。
【図４】図１に示す生理用ナプキンのＸ３−Ｘ３線断面図である。
【図５】本発明の第２実施形態である生理用ナプキン１ＡのＸ１−Ｘ１線断面図である。
【符号の説明】
【００４９】
１  生理用ナプキン
２  表面シート
３  裏面シート
４  吸収体
５  吸収性本体
５ａ，５ａ’  吸収性本体の長手方向の両側部
６，６’  伸縮性シート
６１  肌当接面側のシート
６２  非肌当接面側のシート
６３，６３’  弾性部材
６ａ  一側部
６ｂ  他側部
７，７’  防漏壁
７１  防漏壁の頂部
７２  Ｚ字状の肌当接面側の屈曲部
７３  Ｚ字状の非肌当接面側の屈曲部
７４  三つ折り状の肌当接面側の屈曲部
７５  三つ折り状の非肌当接面側の屈曲部
７６  三つ折り状の中央部
７７ａ  内側空洞部
７７ｂ  外側空洞部
８，８Ｄ  接合部
８ａ  接合部の内側縁
８ｂ  接合部の外側縁
９  エンボス溝
ａ  排泄部領域
ｂ  排泄部領域ａの後方の後方領域
ｃ  排泄部領域ａの前方の前方領域
ａ１  第１折線
ａ２  第２折線
ＣＬ  生理用ナプキンの長手方向に延びる中心線
【図１】
2010042058.tif 000003
【図２】
2010042058.tif 000004
【図３】
2010042058.tif 000005
【図４】
2010042058.tif 000006
【図５】
2010042058.tif 000007